(57)【要約】低出力ダイオードレーザ装置（ＭＬ）からの入射光信号を用いて高出力ダイオードレーザ装置（ＳＬ）の出力を変調する方法を提供する。高出力装置（ＳＬ）の出力は、低出力装置（ＭＬ）からの入力信号によって変調される波長である。更に、波長変調技術を用いる新規の光記憶書き込みメカニズムを提供する。光ディスクの記録層の吸収の波長依存は、ダイオードレーザ波長変調を吸収の変動に変換される。
2006511074.tif 000002
【特許請求の範囲】
【請求項１】
第１のダイオードレーザ装置が、第２のダイオードレーザ装置に光を入射し、前記第２のダイオードレーザ装置は、出力光信号を生成する、ダイオードレーザからの出力光を変調する方法であって、
前記出力光信号は、前記第１のダイオードレーザ装置から入射された前記光の波長に依存する波長を有することを特徴とする方法。
【請求項２】
前記第２のダイオードレーザ装置は、非変調出力波長と変調出力波長を有し、
前記非変調出力波長は、前記第１のダイオードレーザ装置から入射される光がない場合に、出力され、
前記変調出力波長は、前記第１のダイオードレーザ装置から入射される光がある場合に、出力される請求項１記載の方法。
【請求項３】
前記非変調出力波長は、前記変調出力波長より長い請求項２記載の方法。
【請求項４】
前記第１のダイオードレーザ装置は、低出力装置である請求項１乃至３のうちいずれか一項記載の方法。
【請求項５】
前記第２のダイオードレーザ装置は、高出力装置である請求項１乃至３のうちいずれか一項記載の方法。
【請求項６】
レーザダイオード装置から光信号を出力する段階を有する光ディスクに情報を書き込みする方法であって、
前記光信号は、請求項１乃至５のうちいずれか一項記載の方法に従って変調される方法。
【請求項７】
前記情報は、前記光信号を、前記光ディスクにおける色素層に供給することによって、前記光ディスクに書き込みされる請求項６記載の方法。
【請求項８】
前記情報は、前記光信号を、前記光ディスクにおける層に供給することによって、前記光ディスクに書き込みされ、
前記層は、入射光の波長と共に変化する光吸収係数を有する請求項６記載の方法。
【請求項９】
第１の出力光信号を生成するよう動作可能な第１のダイオードレーザ装置と、
第２の出力光信号を生成するよう動作可能であり、また、前記第１のダイオードレーザ装置からの前記第１の出力光信号を、入力光信号として受信するよう構成される第２のダイオードレーザ装置と、
を有する、変調光信号を生成する装置であって、
前記第２の出力光信号は、前記第１の出力光信号に依存して変調される波長を有することを特徴とする装置。
【請求項１０】
前記第２のダイオードレーザ装置は、非変調出力波長と変調出力波長を有し、
前記第２のダイオードレーザ装置は、前記第１のダイオードレーザ装置から入射される光がない場合に、前記非変調出力波長を出力し、また、前記第１のダイオードレーザ装置からの入射される光がある場合に、前記変調出力波長を出力するよう動作可能である請求項９記載の装置。
【請求項１１】
前記非変調出力波長は、前記変調出力波長より長い請求項１０記載の装置。
【請求項１２】
前記第１のダイオードレーザ装置は、低出力装置である請求項９乃至１１のうちいずれか一項記載の装置。
【請求項１３】
前記第２のダイオードレーザ装置は、高出力装置である請求項９乃至１２のうちいずれか一項記載の装置。
【請求項１４】
前記第１のダイオードレーザ装置は、前記第１の出力光信号を、偏光ビームスプリッタを介して記第２のダイオードレーザ装置に入射するよう動作可能である請求項９乃至１３のうちいずれか一項記載の装置。
【請求項１５】
前記第１の出力光信号は、偏光調整装置を介して前記偏光ビームスプリッタに供給される請求項１４記載の装置。
【請求項１６】
請求項９乃至１５のうちいずれか一項記載の装置を有する、光ディスクに情報を書き込みする装置。
【発明の詳細な説明】
【技術分野】
【０００１】
本発明は、一般的に、ダイオードレーザに係る。より具体的には、本発明は、ダイオードレーザからの出力光を変調する方法、レーザダイオード装置から光信号を出力する段階を有する光ディスク上に情報を書き込みする方法、及び、ダイオードレーザ装置を有する、変調光信号を生成する装置に係る。
【背景技術】
【０００２】
ダイオードレーザは、光学記憶装置適用の重要な部分である。近い将来、約４０５ナノメートルの領域における波長を有する光（青色光）を生成するデュアルストライプダイオードレーザが利用可能となることが期待されている。デュアルストライプレーザは、数百ミクロンで離れた同じマウント上の高出力ダイオードレーザ及び低出力ダイオードレーザからなる。
【０００３】
高出力ダイオードレーザは、その開いたキャビティ（即ち、低反射率を有する面）によって、例えば、低出力レーザからの光の入射に適する。このようにして、高出力レーザは、強制的に、例えば、低出力レーザの波長において放射するようにされ得る（波長ロック）。
【０００４】
追記型媒体（例えば、ＣＤ−Ｒ、及びＤＶＤ＋Ｒといったいわゆる記録可能ディスク）は、一連のマーク（ピットとも称する）の形で情報が書き込みされる色素層を有する。従来では、これは、高出力ダイオードレーザ（ＤＬ）によって行われ、その電流（従って出力パワー）は、いわゆる書き込みストラテジである明確なスキームに応じて変調される。ここでは、色素によって吸収されるエネルギー量は、主に、ＤＬの出力パワーによって決定される。マークは、色素の化学組成を変更するのに十分なエネルギーを与えることによって書き込みされる。
【発明の開示】
【発明が解決しようとする課題】
【０００５】
従って、特に、光ディスク上に情報を書き込むのに必要とされる出力パワーの量を低減することが好適である。
【課題を解決するための手段】
【０００６】
本発明の１つの面では、第１のダイオードレーザ装置が、第２のダイオードレーザ装置に光を入射し、第２のダイオードレーザ装置は、出力光信号を生成する、ダイオードレーザからの出力光を変調する方法であって、出力光信号は、第１のダイオードレーザ装置から入射された光の波長に依存する波長を有することを特徴とする方法を提供する。
【０００７】
本発明の別の面では、第１の出力光信号を生成するよう動作可能な第１のダイオードレーザ装置と、第２の出力光信号を生成するよう動作可能であり、また、第１のダイオードレーザ装置からの第１の出力光信号を、入力光信号として受信するよう構成される第２のダイオードレーザ装置とを有する、変調光信号を生成する装置であって、第２の出力光信号は、第１の出力光信号に依存して変調される波長を有することを特徴とする装置を提供する。
【０００８】
本発明の更なる面では、高出力ダイオードレーザ（ＤＬ）の出力パワーではなくその波長が変調される新しい書き込みメカニズムが提案される。色素吸収の波長依存は、ＤＬ波長変調を吸収の変動に変換する。
【０００９】
本発明の原理は、ダイオードレーザ装置の用途に依存して、任意の好適な波長のダイオードレーザ装置からの出力を変調することに適用可能であることを理解するものとする。更に、上述した装置は、デュアルストライプ装置であるが、本発明の原理は、任意のレーザダイオード装置に適用可能である。
【００１０】
更に、上述した光データ記憶スキームは、色素に基づいたディスクを使用するが、本発明の原理は、記録媒体の吸収が入射光信号の波長と共に変化する任意の記憶装置技術に適用可能である。
【発明を実施するための最良の形態】
【００１１】
本発明の上述した及び更なる面及び利点は、添付図面を参照しながら、以下に説明する。
【００１２】
図１は、色素吸収（垂直軸）対波長（水平軸）の曲線を示し、この曲線から、波長変調が、本発明を具現化する追記型ディスクへの情報書き込み方法に使用されたことが分かる。
【００１３】
図２は、ダイオードレーザから波長変調された信号を生成する装置の一例を示す。この例では、マスタレーザ（ＭＬ）１と示す低出力ダイオードレーザ（ＤＬ）からの光出力は、偏光ビームスプリッタ（ＰＢＳ）８によって反射され、スレーブレーザ（ＳＬ）２と示す高出力ＤＬに入射される。ＭＬ１からの光信号が、ＳＬ２に入射される前に、その直線偏光は、その光をλ／４板４に通すことによって、回転偏光に変更される。ＭＬ１は、格子Ｇ及びλ／２板６を通り偏光ビームスプリッタ（ＰＢＳ）８に入る光信号を生成する。格子は、ＭＬ１の出力を安定化させるために第１の回折次数を戻すようＭＬ１に向けて反射させる。ゼロ番目の回折次数は、ＳＬ２に向けて反射され、λ／４板と、その次にレンズＣＬ２を介して、ＳＬ２内に入射される。ＳＬ２からの光出力は、ＰＢＳ８に向けてレンズＣＬ２及びλ／４板４を通して出力される。ＳＬ２からの光出力は、出力レンズ（対物レンズ）ＯＬ１に向けてＰＢＳ８と第２のλ／４板９を通される。
【００１４】
閾値に近いＳＬの放射スペクトルを、図３の上部に示す。これは、垂直棒によって表す幾つかのモードからなる。
【００１５】
一般的に、低出力ダイオードレーザの波長は、高出力ダイオードレーザの波長より短い。これは、ＭＬ１の波長の位置を示す垂直矢印を有する図３に示す。同じ図３中、λＳＬは、閾値より上で、ＭＬ１からの入射なしのＳＬ２の放射波長の位置を表す。λＭＬに最も近く、同時に、λＭＬ−λＳＬ，ｍ＞０を満たすＳＬ２のモードは、λＳＬ，ｍで示す。入射光の量は、ＭＬ１の放射パワーによって決定され、そして、この量が、特定の値ＰＬＯＣＫを超えると、ＳＬの波長λＳＬ，ｍは、ＭＬの波長にロックする。即ち、λＳＬ，ｍ＝λＭＬとなる。従って、ＳＬ２は、放射波長λＭＬでレーザを出し始める。ＭＬ１の放射パワーをロックレベルより下に下げることによって、ＳＬの波長は、λＳＬに戻される。
【００１６】
ＳＬ２の波長は、自由継続の値λＳＬと入射ロックされた値λＭＬとの間で切り替わるので、ＳＬ２からの放射光の吸収も変更する。これは、波長は、色素吸収曲線の傾斜上にあるという事実による。
【００１７】
ＭＬ１からの入射がない場合、ＳＬ２からの特定量の光が、色素層内で吸収される。この量は、ＳＬ２（入射なし）の波長における吸収係数α（λ＝λＳＬ）に比例する。αの波長への依存は、図１に示す。ＭＬ１からの光がＳＬ２内に入射されると、ＳＬ２の波長は、ＭＬ１の波長にロックする。ＳＬ２からの光の吸収は、そうすると、α（λ＝λＳＬ，ｍ＝λＭＬ）に比例する。ロックは、λＳＬ−λＳＬ，ｍ＞０のときに起きるので、図１から、α（λ＝ＳＬ，ｍ）＞α（λ＝λＳＬ）であることが分かる。吸収の度合いが大きいとき、即ち、α（λ＝λＳＬ，ｍ）であるとき、マークが色素に書き込みされ、従って、情報が、ディスク上に格納される。
【００１８】
本発明を具現化する方法の使用は、高出力のスレーブダイオードレーザ（ＤＬ）の波長を、より短い波長の方向に動かす。図３を参照されたい。これは、波長が小さくなるに従って色素吸収が増加するので、明らかな利点である。図１を参照されたい。吸収の増加は、色素内にマークを書き込むために必要な高出力ＤＬからの出力パワーは小さくてよいことを意味する。これは、マークを書き込みするために必要な放射パワーの量が速度と共に急速に増加する高速記録をもたらす。従って、上述したアプローチは、同じＤＬ出力パワー量でより高い速度に到達可能にする。
【００１９】
このようにして、高出力ＤＬの使用可能なタイプの制約も緩和される。
【００２０】
更に、この実施の適応は、高出力ダイオードレーザの電流を変調することなく記録可能なディスクに情報を書き込み可能であるということを意味する。低出力ダイオードレーザの電流（従って、その放射パワー）が変調されるのであって、また、入射を介して、これは、高出力ダイオードレーザの波長変動に変換される。
【００２１】
尚、本発明は、約４０５ナノメートルの領域における波長を有する光（青色光）を生成するダイオードレーザだけではなく、例えば、約６５０ナノメートル（赤色光）及び約７８０ナノメートル（赤外光）といった別の波長の光を生成するダイオードレーザにも適用し得る。
【図面の簡単な説明】
【００２２】
【図１】ＤＶＤ＋Ｒ適用において使用される色素に対する一般的な吸収曲線を示すグラフである。
【図２】記録可能ディスク上に書き込みするための装置を示す図である。
【図３】各ダイオードレーザからの放射スペクトルを示す図である。
【図４】ダイオードレーザの波長切り替えを示す図である。
【図１】
2006511074.tif 000003
【図２】
2006511074.tif 000004
【図３】
2006511074.tif 000005
【図４】
2006511074.tif 000006
【国際調査報告】
2006511074.tif 000007
2006511074.tif 000008
2006511074.tif 000009